(57)【要約】      （修正有）【課題】専用の部屋を作ることなく、他の居住者に気兼ねせず業務に集中できるワークスペースの確保が簡便に可能となる収納室を提供する。【解決手段】建物内の居室または廊下に面する前壁３７に開口部３９を有する収納室１１であって、開口部３９には引戸４１が設けられ、収納室１１の内壁面には折り畳み机５３の天板５５が取り付けられ、収納室内部の左右側壁面間とほぼ同一の長さを有する２本のハンガーパイプを備え、左右側壁面には、ハンガーパイプの両端を受ける四対の受け部材７１が上方位置に取り付けられ、四対の受け部材７１のうち二対（ａ）、（ｂ）は、収納室内部の後半部分７３の後壁面に沿って配置され、四対の受け部材７１のうち他の二対（ｃ）、（ｄ）の一方（ｃ）は、収納室内部の後半部分７３にオフセットして配置され、四対の受け部材７１のうち他の二対の他方（ｄ）は、収納室内部の前半部分７７にオフセットしかつ他の二対の一方（ｃ）より低い位置に配置される。【選択図】図３
0003232232.tif 000002
【実用新案登録請求の範囲】
【請求項１】
建物内の居室または廊下に面する前壁に開口部を有する収納室であって、
前記前壁には前記開口部を開閉する引戸が設けられ、
前記収納室の少なくともいずれか一つの内壁面には折り畳み机の天板が連結金具により取り付けられ、
収納室内部の左右側壁面間とほぼ同一の長さを有するハンガーパイプを備え、
左右側壁面には、前記ハンガーパイプの両端を受ける対となる受け部材が上方位置に２組取り付けられ、
前記２組の受け部材のうち一方の１組は、前記収納室内部の後半部分の後壁面に沿って配置され、
前記２組の受け部材のうち他方の１組は、前記収納室内部の略中間位置から前半部分側に配置されることを特徴とする収納室。
【請求項２】
請求項１記載の収納室であって、
前記ハンガーパイプが２本で構成され、
前記受け部材の各組が二対ずつで構成されており、
前記収納室内部の後半部分の後壁面に沿って配置される前記一方の１組の二対の前記受け部材が、前記後壁面に沿って上下に位置するとともに、
前記他方の１組の一方の一対の受け部材は、前記収納室内部の中間位置から前記後半部分にオフセットして配置され、
前記他方の１組の他方の一対の受け部材は、前記収納室内部の中間位置から前記前半部分にオフセットしかつ前記一方の一対の受け部材より低い位置に配置されることを特徴とする収納室。
【請求項３】
請求項１または２に記載の収納室であって、
前記収納室の少なくともいずれか一つの内壁面には電源用のコンセントが設けられ、
前記コンセントは、プラグ挿入口を開閉する開閉カバーを備えることを特徴とする収納室。
【請求項４】
請求項１〜３のいずれか１つに記載の収納室であって、
前記引戸は、前記前壁との間に隙間を有することを特徴とする収納室。
【請求項５】
請求項１〜４のいずれか１つに記載の収納室であって、
前記引戸には、閉状態をロックする錠が設けられ、
前記錠は、前記引戸の収納室内部側となる面の子供の手の届かない高さに操作部が配置されることを特徴とする収納室。
【考案の詳細な説明】
【技術分野】
【０００１】
本考案は、マンションなどの集合住宅の居室内に建て付けて設けられる収納室に関する。本考案の収納室は、リフォームによっても有効に適応される。
【背景技術】
【０００２】
収納や運搬を容易としたり（特許文献１，２，３，４等参照）、壁面に机天板を折りたたみ自在に設けたりする机（特許文献１等参照）が知られている。例えば特許文献３の机は、少なくとも２枚の脚板をヒンジで結合し、これらを開いた立設状態でその上に天板を載置して使用する。収納状態では、天板を外して脚板を閉じ、机の構成部品が全て平板状になるようにする。また、特許文献５の壁面書斎パネルは、机天板と脚部と収納枠体とからなる壁面書斎パネルにおいて、机天板を構成する平板が回動自在に収納枠体背板に枢支され、この平板の裏面に回動自在に装着された脚部が枠体側板に削設された溝に摺動自在に係合される。
【先行技術文献】
【特許文献】
【０００３】
【特許文献１】実開昭５８−１２６７３２号公報
【特許文献２】実開昭６１−４５８３７号公報
【特許文献３】特開２００４−１２１４３２号公報
【特許文献４】特許第６７１３６７１号公報
【特許文献５】実開昭６２−１０７７３０号公報
【考案の概要】
【考案が解決しようとする課題】
【０００４】
ところで、一時的でも職場ではなく在宅で業務をこなすために、そのスペースを確保するには工夫が必要である。例えば、リビングの一角に机を置き、ワークスペースを作るなどした場合、業務専用の空間でないことから、集中できないことがある。ＰＣ等を用いてテレビ会議などを行う場合、その場所がリビングやダイニングなどの居室空間、共用空間であると、ノイズが入ったり、他の居住者から嫌がられたりもする。また、机を居室に設置するには、そのスペースを確保する必要があり、間仕切り等が必要となる場合もある。そして、業務を終えた際、或いは在宅での業務が不要となった場合には、その机が邪魔になることが多い。机を、上記各特許文献のように折り畳み構造としても、折り畳んで収納するには、そのスペースが必要となる。天板をリビングなどの壁面に折り畳み自在に固定する折り畳み構造の机も提案されているが、固定されることで使い勝手が限られてしまい、上述同様の理由から集中できないことがある。そして、在宅での業務が一時的な場合には、専用の部屋や書斎を作るほどでもない。
【０００５】
本考案は上記状況に鑑みてなされたもので、その目的は、専用の部屋を作ることなく、他の居住者に気兼ねせず業務に集中できるワークスペースの確保が簡便に可能となる収納室を提供することにある。
【課題を解決するための手段】
【０００６】
次に、上記の課題を解決するための手段を、実施の形態に対応する図面を参照して説明する。
本考案の請求項１記載の収納室１１は、建物内の居室または廊下１７に面する前壁３７に開口部３９を有する収納室１１であって、
前記前壁３７には前記開口部３９を開閉する引戸４１が設けられ、
前記収納室１１の少なくともいずれか一つの内壁面には折り畳み机５３の天板５５が連結金具５７により取り付けられ、
収納室１１内部の左右側壁面５１ａ，５１ａ間とほぼ同一の長さを有するハンガーパイプ６３を備え、
左右側壁面５１ａ，５１ａには、前記ハンガーパイプ６３の両端を受ける対となる受け部材７１が上方位置に２組取り付けられ、
前記２組の受け部材７１のうち一方の１組は、前記収納室１１内部の後半部分７３の後壁面４９ａに沿って配置され、
前記２組の受け部材７１のうち他方の１組は、前記収納室１１内部の略中間位置から前半部分７７側に配置されることを特徴とする。
【０００７】
本考案の請求項２記載の収納室１１は、請求項１記載の収納室１１であって、
前記ハンガーパイプ６３が２本で構成され、
前記受け部材７１の各組が二対ずつで構成されており、
前記収納室１１内部の後半部分７３の後壁面４９ａに沿って配置される前記一方の１組の二対の前記受け部材７１（ａ，ｂ）が、前記後壁面４９ａに沿って上下に位置するとともに、
前記他方の１組の一方の一対の受け部材７１（ｃ）は、前記収納室１１内部の中間位置から前記後半部分７３にオフセットして配置され、
前記他方の１組の他方の一対の受け部材７１（ｄ）は、前記収納室１１内部の中間位置から前記前半部分７７にオフセットしかつ前記一方の一対の受け部材７１（ｃ）より低い位置に配置されることを特徴とする。
【０００８】
この収納室１１では、クローゼット９３としての使用時には、折り畳み机５３の天板５５が内壁面に沿って畳まれて仕舞われる。着脱式のハンガーパイプ６３は、２本のうち１本が、収納室１１内部の中間位置から後半部分７３にオフセットして配置された一対の受け部材７１（ｃ）に支持される。ハンガーパイプ６３は、２本のうち他の１本が、収納室１１内部の中間位置から前半部分７７にオフセットし、かつ後半部分７３のハンガーパイプ６３より低い位置で一対の受け部材７１（ｄ）に支持される。つまり、２本のハンガーパイプ６３，６３は、段違いとなり、一番嵩張るハンガー部分が重ならないように配置される。
前後段違いに配置した２本のハンガーパイプ６３を配置した収納室１１では、前後方向の奥行きを有効に利用して多数の衣服を収納できる。また、前後に２本のハンガーパイプ６３が配置されるので、例えば夏物衣服と冬物衣服、スーツとコート等とを前後に分けて収納することもできる。
一方、収納室１１は、ワークスペース７５としての使用時、衣服が取り出されて、２本のハンガーパイプ６３が後半部分７３の後壁面４９ａに沿って配置された上下で二対１組の受け部材７１（ａ，ｂ）に支持される。すなわち、２本のハンガーパイプ６３は、後壁面４９ａに片寄せられる。折り畳み机５３は、天板５５が折り畳み状態から水平に展開され、ワンタッチで所定位置に設置される。天板５５と一方の側壁５１との間には椅子９５を置く。
これにより、クローゼット９３としての収納室１１は、収納室内部がワークスペース７５となる。ワークスペース７５は、引戸４１を閉鎖することにより、居室や廊下１７から仕切られた閉鎖空間とすることがき、業務に集中できる空間を極めて容易に建物内に作ることができる。ワークスペース７５は、クローゼット９３との兼用が可能となるので、折り畳み机５３の天板５５を畳み、椅子９５を取り出し若しくは畳み、ハンガーパイプ６３を移動すれば、再びクローゼット９３への変更が容易に可能となる。
【０００９】
本考案の請求項３記載の収納室１１は、請求項１または２に記載の収納室１１であって、
前記収納室１１の少なくともいずれか一つの内壁面には電源用のコンセント７９が設けられ、前記コンセント７９は、プラグ挿入口を開閉する開閉カバーを備えることを特徴とする。
【００１０】
この収納室１１では、少なくともいずれか一つの内壁面に電源用のコンセント７９が設けられる。これにより、収納室１１内部がワークスペース７５として使用される際、給電が必要となる機器、例えばＰＣ８１やライトスタンド９７等を、離れた場所から延長コード等を用いて接続する必要がなく、簡便に駆動することができる。また、コンセント７９は、クローゼット９３の使用時には、プラグ挿入口が開閉カバーにより覆われる。開閉カバーは、収納室内部がワークスペース７５として利用される際には、ワンタッチで移動されてプラグ挿入口が現れる。
【００１１】
本考案の請求項４記載の収納室１１は、請求項１〜３のいずれか１つに記載の収納室１１であって、
前記引戸４１は、前記前壁３７との間に隙間８５を有することを特徴とする。
【００１２】
この収納室１１では、引戸４１が、前壁３７との間に隙間８５を有する。収納室１１内部は、ワークスペース７５としての使用時、引戸４１の隙間８５から居室や廊下１７からの光が漏れ光となって入る。これにより収納室１１内での閉塞感を和らげる。引戸４１は、例えば２枚引戸とすることにより、より多くの漏れ光を導入することができる。特に、漏れ光は、隙間８５からの漏れ光が、引戸４１の収納室内部側の面を照らす。漏れ光は、ライトスタンド９７やＰＣ８１のみを使用した場合のワークスペース７５における補助光（間接照明）ともなり得る。
【００１３】
本考案の請求項５記載の収納室１１は、請求項１〜４のいずれか１つに記載の収納室１１であって、
前記引戸４１には、閉状態をロックする錠８３が設けられ、前記錠８３は、前記引戸４１の収納室１１内部側となる面の子供の手の届かない高さに操作部が配置されることを特徴とする。
【００１４】
この収納室１１では、引戸４１に、閉状態をロックする錠８３が設けられる。錠８３は、収納室１１内部側となる面に、子供の手の届かない高さで操作部が設けられる。ワークスペース７５の利用者は、収納室１１内部から操作部を操作して引戸４１をロックし、居室や廊下１７から引戸４１を開けられなくできる。これにより、テレビ会議中等に、子供等により不意に引戸４１が開けられる心配がなくなり、業務への集中力を高めることができる。また、操作部が子供の手の届かない高さに配置されているので、例えばクローゼット９３としての使用時に、収納室内部に入った子供が、悪戯で引戸４１をロックしてしまうことがない。
【考案の効果】
【００１５】
本考案に係る請求項１記載の収納室によれば、専用の部屋を作ることなく、他の居住者に気兼ねせず業務に集中できるワークスペースの確保が簡便に可能となる。
【００１６】
本考案に係る請求項２記載の収納室によれば、ワークスペースの確保を行えるとともに、クローゼットとして使用する際には、２本のハンガーパイプが段違いとなり、一番嵩張るハンガー部分が重ならないように配置させることができ、前後段違いに配置した２本のハンガーパイプによって、前後方向の奥行きを有効に利用して多数の衣服を収納することができる。
【００１７】
本考案に係る請求項３記載の収納室によれば、ワークスペースとして使用する際の例えばＰＣ、ライトスタンド等の電源をとることができる。また、開閉カバーがあることで、クローゼットとして使用する際の埃の浸入を防止できる。
【００１８】
本考案に係る請求項４記載の収納室によれば、ワークスペースとしての使用時に密室感を和らげることができる。
【００１９】
本考案に係る請求項５記載の収納室によれば、ワークスペース使用時に子供等の不意な侵入を防ぐことができるとともに、クローゼット使用時に子供が中に入ってロックしてしまう閉じ込めも防止できる。
【図面の簡単な説明】
【００２０】
【図１】実施の形態に係る収納室を備えた集合住宅における部屋構造の一例を表す平面図である。
【図２】（ａ）は図１に示した収納室のクローゼット使用時の平面図、（ｂ）はその収納室の正面図である。
【図３】図２に示した収納室の側断面図である。
【図４】（ａ）は図１に示した収納室のワークスペース使用時の平面図、（ｂ）はその正面図である。
【図５】１枚の引戸を取り付けた収納室の平面図である。
【図６】２枚戸の引戸を取り付けた収納室の平面図である。
【考案を実施するための形態】
【００２１】
以下、本考案に係る実施形態を図面を参照して説明する。
図１は、実施の形態に係る収納室１１を備えた集合住宅における部屋構造の一例を表す平面図である。
本実施形態に係る収納室１１は、マンション等の集合住宅における一独立居住区画の住宅に好適に用いられる。この他、収納室１１は、戸建ての建物内に用いられてもよい。
図例の住宅は、矩形の平面形状を有し、一対の短辺側壁部１３の一方の中央に、玄関１５が配置される。玄関１５には、奥側の短辺側壁部１３に向かう廊下１７が接続する。廊下１７の左方には浴室１９、洗面所２１が配置される。廊下１７を挟み洗面所２１の反対側には洋室２３が配置される。廊下１７は、左右の長辺側壁部２５の片方寄りに終端が配置されるリビング・ダイニング２７に接続する。リビング・ダイニング２７は、カウンタ２９を備えたキッチン３１を有する。左右の長辺側壁部２５の間には、リビング・ダイニング２７と隣接して２つの洋室３３、洋室３５が、廊下１７の延在方向に並んで配置される。
【００２２】
洋室３３と洋室３５との間には、収納室１１が配置される。収納室１１は、一方の洋室３３に面する前壁３７（図３参照）に開口部３９を有する。前壁３７には、開口部３９を開閉する引戸４１が設けられている。なお、本実施形態において、収納室１１は、洋室３３に隣接して配置されるが、廊下１７に隣接して配置され、開口部３９が廊下１７に開口する構成とされてもよい。
【００２３】
収納室１１は、他方の洋室３５に開口する専用クローゼット４３と、短辺側壁部１３に沿う方向でほぼ二分して配置されている。つまり、収納室１１は洋室３３より使用が可能となり、専用クローゼット４３は洋室３５より使用が可能となる。一方の洋室３３は、引戸タイプの移動間仕切４５によりリビング・ダイニング２７と仕切られている。洋室３３は、移動間仕切４５を開けることにより、リビング・ダイニング２７と連続した空間となる。また、他方の洋室３５は、吊下型移動間仕切４７によりリビング・ダイニング２７と仕切られている。洋室３５も、吊下型移動間仕切４７を開けることにより、リビング・ダイニング２７と連続した空間となる。
【００２４】
図２（ａ）は、図１に示した収納室１１のクローゼット使用時の平面図、（ｂ）は、その収納室１１の正面図である。
収納室１１は、平面視において、前壁３７と後壁４９が左右の側壁５１よりも長い横長の矩形状となる。収納室１１は、前壁３７から後壁面までの奥行きが９００ｍｍ程度、左右の側壁間が１１００ｍｍ程度で設定される。天井までの有効高さは、２１００ｍｍ程度で設定される。
【００２５】
収納室１１は、少なくともいずれか一つの内壁面、本実施形態では一方の側壁５１の側壁面５１ａに、折り畳み机５３の天板５５が連結金具５７を介して取り付けられている。天板５５は、側壁５１に沿う辺が長辺となり、長辺が８００ｍｍ程度、奥行となる短辺が４５０ｍｍ程度の長方形で形成される。使用時の折り畳み机５３は、天板５５が床面より７００ｍｍ程度となって水平に支持される。連結金具５７は、蝶番５９（図４参照）と、棚受金物６１とからなる。蝶番５９は、天板５５の一方の長辺側を水平軸周りで回転自在に側壁５１に固定する。棚受金物６１は、天板５５を水平に支持、または側壁５１と平行に折り畳んだ状態で支持する。折り畳み机５３は、連結金具５７に設けられる棚受金物６１により、ワンタッチで水平方向に持ち上げて安定して固定状態とすることができる。また、棚受金物６１のロックを解除することにより、側壁５１と平行に折り畳め、その状態を維持できるように構成されている。
【００２６】
収納室１１は、収納室１１内部の左右側壁面５１ａ間とほぼ同一の長さを有する２本のハンガーパイプ６３を備える。それぞれのハンガーパイプ６３には、ハンガー６５を用いて衣服が掛けられる。収納室１１の天井には、埋め込み型のダウンライト６７が設けられる。また、収納室１１には、収納棚６９が置かれていてもよい。
【００２７】
図３は、図２に示した収納室１１の側断面図である。
左右側壁面５１ａ，５１ａには、２本のハンガーパイプ６３の両端を受けるための２組の受け部材７１が上方位置に取り付けられている。本実施形態では各組が二対ずつで構成され、四対（ａ，ａ、ｂ，ｂ、ｃ，ｃ、ｄ，ｄ）の受け部材７１が上方位置に取り付けられている。受け部材７１は、四対のうち一方の１組の二対（ａ，ａ、ｂ，ｂ）が、収納室１１内部の後半部分７３の後壁面４９ａに沿って上下に重なる位置で配置される。収納室１１は、ワークスペース７５としての使用時に、二対の受け部材７１（ａ，ａ、ｂ，ｂ）に、２本のハンガーパイプ６３が支持される。このハンガーパイプ６３には、時計を掛けたり、カレンダーやホワイトボード、絵を掛けたりしてもよい。ワークスペース７５は、在宅業務（所謂テレワーク）の他、家事室、軽作業室として利用されてもよい。
【００２８】
一方、受け部材７１は、四対のうち他方の１組の二対（ｃ，ｃ、ｄ，ｄ）の一方の一対（ｃ、ｃ）が、収納室１１内部の中間位置（ほぼダウンライト６７の位置）から後半部分７３にオフセットして配置される。また、受け部材７１は、四対のうち他方の１組の二対の他方の一対（ｄ、ｄ）は、収納室１１内部の中間位置から前半部分７７にオフセットし、かつ他方の１組の二対の一方の一対（ｃ、ｃ）より低い位置に配置されている。収納室１１は、２本のハンガーパイプ６３を他方の１組の二対の受け部材７１（ｃ，ｃ、ｄ，ｄ）に配置して段違いとすることにより、奥行き９００ｍｍに対して奥行き方向にハンガー６５を２列で掛けることができ、一番嵩張るハンガー部分が重ならずに空間を有効に使い切ることができる。
【００２９】
収納室１１は、少なくともいずれか一つの内壁面に電源用のコンセント７９が設けられ、コンセント７９は、プラグ挿入口を開閉する開閉カバーを備える。また、コンセント７９は、ＰＣ８１をＬＡＮ接続するための接続口が設けられていてもよい。
【００３０】
図４（ａ）は、図１に示した収納室１１のワークスペース使用時の平面図、（ｂ）は、その正面図である。
引戸４１には、閉状態をロックする錠８３が設けられている。錠８３は、引戸４１の収納室内部側となる面の子供の手の届かない高さ（例えば床から１５００ｍｍ程度の高さ）に操作部が配置されている。
【００３１】
図５は、１枚の引戸４１を取り付けた収納室１１の平面図である。
引戸４１は、敷居レール上を走行するものの他、吊り戸であってもよい。引戸４１は、戸袋のない所謂アウトセットタイプを好適に用いることができる。収納室１１は、引戸４１を開放することにより、収納室内部の空間を洋室３３の一部として使用することも可能となる。
【００３２】
引戸４１は、前壁３７との間に隙間８５を有する。隙間８５は、引戸４１の戸先と戸当たりの間、引戸４１の戸尻と前壁３７との間に設けられる。また、引戸４１には、明かり取り窓８７が設けられていてもよい。
【００３３】
図６は、２枚戸の引戸８９を取り付けた収納室１１の平面図である。
引戸８９は、２枚戸とすることもできる。この場合、引戸同士の召し合わせ部９１の隙間８５からより多くの漏れ光を収納室１１内部へ導入することができる。
【００３４】
次に、上記した構成の作用を説明する。
【００３５】
本実施形態に係る収納室１１では、クローゼット９３としての使用時には、折り畳み机５３の天板５５が内壁面に沿って畳まれて仕舞われる。着脱式のハンガーパイプ６３は、２本のうち１本が、収納室内部の中間位置から後半部分７３にオフセットして配置された一対の受け部材７１に支持される。ハンガーパイプ６３は、２本のうち他の１本が、収納室内部の中間位置から前半部分７７にオフセットし、かつ後半部分７３のハンガーパイプ６３より低い位置で一対の受け部材７１に支持される。つまり、２本のハンガーパイプ６３は、段違いとなり、一番嵩張るハンガー部分が重ならないように配置される。
【００３６】
前後段違いに配置した２本のハンガーパイプ６３を備えた収納室１１では、前後方向の奥行きを有効に利用して多数の衣服を収納できる。また、前後に２本のハンガーパイプ６３が配置されるので、例えば夏物衣服と冬物衣服等とを前後に分けて収納することもできる。
【００３７】
一方、収納室１１は、ワークスペース７５としての使用時、衣服が取り出されて、２本のハンガーパイプ６３が後半部分７３の後壁面４９ａに沿って配置された二対の受け部材７１（ａ、ｂ）に支持される。すなわち、２本のハンガーパイプ６３は、後壁面４９ａに片寄せられる。折り畳み机５３は、天板５５が折り畳み状態から水平に展開され、ワンタッチで所定位置に設置される。天板５５と一方の側壁５１との間には椅子９５を置く。
【００３８】
これにより、クローゼット９３としての収納室１１は、収納室内部がワークスペース７５となる。ワークスペース７５は、引戸４１を閉鎖することにより、居室や廊下１７から仕切られた閉鎖空間とすることがき、業務に集中できる空間を極めて容易に建物内に作ることができる。ワークスペース７５は、クローゼット９３との兼用が可能となるので、折り畳み机５３の天板５５を畳み、椅子９５を取り出し若しくは畳み、ハンガーパイプ６３を移動すれば、再びクローゼット９３への変更が容易に可能となる。
【００３９】
なお、収納室１１は、折り畳み机５３の天板５５を畳まずに、水平状態のままで収納の一部に使用してもよい。この場合、椅子９５やライトスタンド９７、ＰＣ８１等を片づけ、各ハンガーパイプ６３の位置を付け替えて、ぶら下げ収納と、天板５５を使う収納とを併用してもよい。
【００４０】
また、この収納室１１では、少なくともいずれか一つの内壁面に電源用のコンセント７９が設けられる。これにより、収納室内部がワークスペース７５として使用される際、給電が必要となる機器（ＰＣ８１やライトスタンド９７等）を、離れた場所から延長コード等を用いて接続する必要がなく、簡便に駆動することができる。また、コンセント７９は、クローゼット９３の使用時など不要の際には、プラグ挿入口が開閉カバーにより覆われる。開閉カバーは、収納室内部がワークスペース７５として利用される際には、ワンタッチで移動されてプラグ挿入口が現れる。その結果、ワークスペース７５として使用する際の例えばＰＣ８１、ライトスタンド９７等の電源をとることができる。また、開閉カバーがあることで、クローゼット９３として使用する際の埃の浸入を防止できる。
【００４１】
また、この収納室１１では、引戸４１が、前壁３７との間に隙間８５を有する。収納室内部は、ワークスペース７５としての使用時、引戸４１の隙間８５から居室や廊下１７からの光が漏れ光となって入る。引戸４１は、例えば２枚戸の引戸８９とすることにより、より多くの漏れ光を導入することができる。特に、漏れ光は、隙間８５からの漏れ光が、引戸４１の収納室内部側の面を照らす。漏れ光は、ライトスタンド９７やＰＣ８１のみを使用した場合のワークスペース７５における補助光（間接照明）ともなり得る。その結果、ワークスペース７５としての使用時に閉塞感や密室感を和らげることができる。
【００４２】
さらに、この収納室１１では、引戸４１に、閉状態をロックする錠８３が設けられる。錠８３は、収納室１１内部側となる面に、子供の手の届かない高さで操作部が設けられる。ワークスペース７５の利用者は、収納室１１内部から操作部を操作して引戸４１をロックし、居室や廊下１７から引戸４１を開けられなくできる。これにより、テレビ会議中等に、子供等により不意に引戸４１が開けられる心配がなくなり、業務への集中力を高めることができる。また、操作部が子供の手の届かない高さに配置されているので、例えばクローゼット９３としての使用時に、収納室１１内部に入った子供が、悪戯で引戸４１をロックしてしまうことがない。その結果、ワークスペース使用時に子供等の不意な侵入を防ぐことができるとともに、クローゼット使用時に子供が中に入ってロックしてしまう閉じ込めも防止できる。
【００４３】
従って、本実施形態に係る収納室１１によれば、専用の部屋を作ることなく、他の居住者に気兼ねせず業務に集中できるワークスペース７５の確保が簡便に可能となる。
【符号の説明】
【００４４】
１１…収納室
１７…廊下
３７…前壁
３９…開口部
４１…引戸
５３…折り畳み机
５５…天板
５７…連結金具
６３…ハンガーパイプ
７１…受け部材
７３…後半部分
７７…前半部分
７９…コンセント
８３…錠
８５…隙間
【図１】
0003232232.tif 000003
【図２】
0003232232.tif 000004
【図３】
0003232232.tif 000005
【図４】
0003232232.tif 000006
【図５】
0003232232.tif 000007
【図６】
0003232232.tif 000008